(57)【要約】【課題】  特定画像、例えば商標画像が運用ルール内で使用されているか否かを自動的に判定する。【解決手段】  特定画像を含む画像を作成して保存する際に、その特定画像を含む画像において特定画像の縦横比率がユーザによって変更されたか否かを判定する。判定した結果に基づいて、その特定画像を含む画像の保存処理を実行するか否かを制御する。【選択図】      図６
2008146604.tif 000002
【特許請求の範囲】
【請求項１】
作成された特定画像を含む画像の保存処理の要求を受け付け、当該保存処理の要求を受け付けた前記特定画像を含む画像を保存処理する情報処理装置であって、
前記特定画像を含む画像の保存処理の要求を受け付けた場合に、前記画像に含まれる前記特定画像の縦横比率がユーザによって変更されたか否かを判定する比率判定手段と、
前記比率判定手段での判定結果に基づいて、前記特定画像を含む画像を保存処理するか否かを制御する制御手段とを有することを特徴とする情報処理装置。
【請求項２】
前記特定画像の色と前記特定画像の背景の色との色差が予め決められた基準以上か否かを判定する色差判定手段を更に有し、
前記制御手段は、前記比率判定手段での判定結果と、前記色差判定手段での判定結果とに基づいて、前記特定画像を含む画像の保存処理を実行するか否かを制御することを特徴とする請求項１に記載の情報処理装置。
【請求項３】
前記制御手段は、前記特定画像を含む画像を保存処理する場合、当該画像を暗号鍵で暗号化し、当該暗号鍵と暗号化された画像データを保存することを特徴とする請求項１又は２に記載の情報処理装置。
【請求項４】
第１の画像及び第２の画像を含む画像の保存処理の要求を受け付け、当該保存処理の要求を受け付けた前記第１の画像及び第２の画像を含む画像を保存処理する情報処理装置であって、
前記第１の画像及び第２の画像を含む画像の保存処理の要求を受け付けた場合に、前記第１の画像の色を判定し、かつ前記第２の画像の色を判定する判定手段と、
前記判定手段で判定された第１の画像の色と前記第２の画像の色との差に基づいて前記第１及び第２の画像を含む画像を保存処理するか否かを制御する制御手段とを有することを特徴とする情報処理装置。
【請求項５】
前記第２の画像は、前記第１の画像の背景であることを特徴とする請求項４に記載の情報処理装置。
【請求項６】
前記制御手段は、前記第１及び第２の画像を含む画像を保存処理する場合、当該画像を暗号鍵で暗号化し、当該暗号鍵と暗号化された画像データを保存することを特徴とする請求項４又は５に記載の情報処理装置。
【請求項７】
作成された特定画像を含む画像の保存処理の要求を受け付け、当該保存処理の要求を受け付けた前記特定画像を含む画像を保存処理する情報処理装置の制御方法であって、
前記特定画像を含む画像の保存処理の要求を受け付けた場合に、前記画像に含まれる前記特定画像の縦横比率がユーザによって変更されたか否かを判定する比率判定工程と、
前記比率判定工程での判定結果に基づいて、前記特定画像を含む画像を保存処理するか否かを制御する制御工程とを有することを特徴とする情報処理装置の制御方法。
【請求項８】
第１の画像及び第２の画像を含む画像の保存処理の要求を受け付け、当該保存処理の要求を受け付けた前記第１の画像及び第２の画像を含む画像を保存処理する情報処理装置の制御方法であって、
前記第１の画像及び第２の画像を含む画像の保存処理の要求を受け付けた場合に、前記第１の画像の色を判定し、かつ前記第２の画像の色を判定する判定工程と、
前記判定工程で判定された第１の画像の色と前記第２の画像の色との差に基づいて前記第１及び第２の画像を含む画像を保存処理するか否かを制御する制御工程とを有することを特徴とする情報処理装置の制御方法。
【請求項９】
請求項７又は８に記載の情報処理装置の制御方法をコンピュータに実行させるためのプログラム。
【請求項１０】
請求項９に記載のプログラムを記録したコンピュータにより読み取り可能な記録媒体。
【発明の詳細な説明】
【技術分野】
【０００１】
本発明は、特定画像を含む画像を作成して保存する情報処理装置及びその制御方法に関する。
【背景技術】
【０００２】
通常、企業ロゴやキャラクタ等の商標画像（コーポレートロゴ等）を使用する際には、背景色が予め定められている。例えば、赤系統色で統一されている商標画像（コーポレートロゴ）の場合は、白色の背景や薄いグレイ色の背景でないと使えないことが定められている。このように商標画像、特に明示性／デザイン性を重視するコーポレートロゴでは、使用する際に、運用ルールが定められているものが多い。
【０００３】
従来、著作／商標の画像運用における「配置」に関する技術が提案されている（例えば、特許文献１参照）。この技術は、著作権画像（例えば、絵）と著作権マーク（例えば、Copyright）について、検査サーバが、所定の位置関係にあるか否かを検査する。検査の結果、否であれば、警告を表示する、保存を禁止する、或いは編集を中止させる等の制御を行うものである。
【特許文献１】特開２００３−０５１９３２号公報
【発明の開示】
【発明が解決しようとする課題】
【０００４】
しかしながら、特許文献１が保護する以外の運用、商標画像の色／形状に関する部分を検査／保護するという観点においては、まだ有効な方法が無いのが現状である。
【０００５】
そのため、商標画像の使用方法が、予め定められた運用ルール内か否かをチェックするには、人の手を借りる他なかった。
【０００６】
本発明は、特定画像、例えば商標画像が運用ルール内で使用されているか否かを自動的に判定することを目的とする。
【課題を解決するための手段】
【０００７】
本発明は、作成された特定画像を含む画像の保存処理の要求を受け付け、当該保存処理の要求を受け付けた前記特定画像を含む画像を保存処理する情報処理装置であって、前記特定画像を含む画像の保存処理の要求を受け付けた場合に、前記画像に含まれる前記特定画像の縦横比率がユーザによって変更されたか否かを判定する比率判定手段と、前記比率判定手段での判定結果に基づいて、前記特定画像を含む画像を保存処理するか否かを制御する制御手段とを有することを特徴とする。
【０００８】
また、本発明は、第１の画像及び第２の画像を含む画像の保存処理の要求を受け付け、当該保存処理の要求を受け付けた前記特定画像を含む画像を保存処理する情報処理装置であって、前記第１の画像及び第２の画像を含む画像の保存処理の要求を受け付けた場合に、前記第１の画像の色を判定し、かつ前記第２の画像の色を判定する判定手段と、前記判定手段で判定された第１の画像の色と前記第２の画像の色との差に基づいて前記第１及び第２の画像を含む画像を保存処理するか否かを制御する制御手段とを有することを特徴とする。
【発明の効果】
【０００９】
本発明によれば、特定画像、例えば商標画像が運用ルール内で使用されているか否かを自動的に判定することができる。
【発明を実施するための最良の形態】
【００１０】
以下、図面を参照しながら発明を実施するための最良の形態について詳細に説明する。
【００１１】
図１は、本実施形態における特定画像処理システムの構成の一例を示す図である。図１において、１０１はパーソナルコンピュータ（ＰＣ）であり、例えばコーポレートロゴ等の特定画像（商標画像）の使用許諾依頼１１１を受けると、許諾応答１１２を送り返す。ここで、この許諾応答１１２には、商標画像を暗号化した商標画像データ１２１のデータファイルと商標画像の運用を制御するための運用制御プログラム１３１及びユーザの使用を許諾する許諾キー（Ｋｅｙ）１３２からなる運用制御ファイルとが含まれる。
【００１２】
１０２はポリシー管理サーバであり、ＰＣ１０１から送られてきた運用制御プログラム１３１に従って商標画像データ１２１を管理する。また、ポリシー管理サーバ１０２は、文書管理サーバやセキュリティーサーバなどとして機能する情報処理装置であり、ユーザが商標画像を使用する際に、運用制御プログラム１３１を実行し、暗号化されている商標画像データ１２１の復号化を行う。この復号化を行う際に、許諾キー１３２が用いられる。
【００１３】
１０３は携帯型ＰＣであり、ポリシー管理サーバ１０２で管理される商標画像をユーザが使用して所望の画像を作成するためのローカルコンピュータである。
【００１４】
尚、ＰＣ１０１、ポリシー管理サーバ１０２、携帯型ＰＣ１０３は、図１に示すように個々に接続されても良いが、ネットワークを介して接続されても良い。
【００１５】
図２は、図１に示すポリシー管理サーバ１０２の構成の一例を示すブロック図である。図２において、２０１はＣＰＵであり、後述するＲＯＭなどに格納されているプログラムに従ってポリシー管理サーバ１０２全体の制御を司る。２０２はＲＯＭであり、ポリシー管理サーバ１０２を制御するプログラムや制御データが格納されている。２０３はＲＡＭであり、ＣＰＵ２０１が処理を実行時に使用する作業領域や各種テーブルを有する。
【００１６】
ＲＡＭ２０３において、２１０は作業領域であり、上述の許諾キー１３２が格納される許諾キーの格納領域２１１、運用制御プログラム１３１が展開される運用制御プログラムの展開領域２１２を含む。更に、作業領域２１０は配布履歴の格納領域２１３、運用履歴の格納領域２１４、運用非準拠履歴の格納領域２１５を含む。
【００１７】
２０４は通信制御部であり、ＰＣ１０１や携帯型ＰＣ１０３、不図示のプリンタなどとの通信を制御し、本実施形態では双方向の通信に対応している。２０５は入力部であり、キーボードやマウスなどによりポリシー管理サーバ１０２への指示を入力する。２０６は外部記憶装置であり、大容量のハードディスクなどである。２０７はディスプレイ装置であり、ＣＲＴやＬＣＤなどである。２０８は外部通信ポートであり、ネットワークに接続するためのインターフェースである。そして、ネットワークを介してＰＣ１０１や携帯型ＰＣ１０３、不図示のプリンタなどとの間で通信を行う。
【００１８】
次に、ユーザが携帯型ＰＣ１０３でポリシー管理サーバ１０２によって管理される商標画像を使用して新たな画像を作成する処理を、図３を用いて説明する。尚、この処理は、ポリシー管理サーバ１０２の運用制御プログラムの展開領域２１２に展開された運用制御プログラム１３１に従ってＣＰＵ２０１が実行するものである。また、本実施形態では、ポリシー管理サーバ１０２から携帯型ＰＣ１０３へ提供される画面上でユーザが商標画像を使用した画像の作成を行うものとする。
【００１９】
図３は、本実施形態における運用制御プログラム１３１の概要を説明するための流れ図である。まず、ユーザが携帯型ＰＣ１０３からポリシー管理サーバ１０２が提供する運用制御プログラム１３１の起動を要求すると、ポリシー管理サーバ１０２のＣＰＵ２０１が運用制御プログラム１３１を実行する。次に、運用制御プログラム１３１に従ってＣＰＵ２０１は許諾キーの入力を促す画面を携帯型ＰＣ１０３に表示させる。その後、ユーザが許諾キーを入力し、ＲＡＭ２０３の許諾キーの格納領域２１１に格納した許諾キー１３２と一致すると、ＣＰＵ２０１は暗号化された商標画像データ１２１を復号化する。
【００２０】
尚、ユーザが正しい許諾キーを入力しなければ、商標画像データ１２１を復号化せずに終了するか、再度許諾キーの入力を促す表示を行っても良い。
【００２１】
図３に示す３０１は、携帯型ＰＣ１０３でユーザが扱うことができる復号化された商標画像である。そして、運用制御プログラム１３１に従ってＣＰＵ２０１が復号化した商標画像３０１を携帯型ＰＣ１０３の画面上に表示させ、ユーザがこの商標画像３０１を使用して画像を作成する。図３に示す３０２は、ユーザが商標画像３０１を使用して作成した画像である。
【００２２】
次に、ユーザが作成した画像３０２を携帯型ＰＣ１０３に保存又はコピーを要求すると、ＣＰＵ２０１は運用制御プログラム１３１に従って商標画像３０１の使用方法を判定する。具体的には、以下の２つのポイントに従って判定する。
（１）商標画像に使用されている色と背景のオブジェクトに使用されている色との間に、予め定められた基準以上の色差があるか
（２）商標画像の縦横比が予め定められた運用基準を逸脱していないか。
【００２３】
ここで、ＣＰＵ２０１が「合」判定した場合には、「合」判定された商標画像３０３を含む画像３０４の保存又はコピーを行う。一方、ＣＰＵ２０１が「否」判定した場合には、この保存又はコピーを停止させ、ユーザへの警告や、商標画像３０１を含む画像の作成処理の強制終了を行う。
【００２４】
尚、「否」判定の対応処理は、予め運用制御プログラム１３１で規定されているものとする。また、「合」判定を受けた画像３０４を保存又はコピーする際に、ＣＰＵ２０１は画像３０４を暗号化する。その後、この画像３０４を携帯型ＰＣ１０３で表示／編集する場合にも、ＣＰＵ２０１は許諾キーを入力させる。
【００２５】
図４は、本実施形態における運用ポリシーを適用した商標画像の一例を示す図である。図４において、４０１は商標画像の本体である。４０２は本実施形態で商標運用ポリシーとして規定された２つの基準である。まず、「背景色指定」は、商標画像と背景が重なり合った場合に、背景色が商標画像の明示性を損ねないレベルであるという基準を色差数値として指定している。次に、「縦横比率変更」は、商標画像権者が縦横比率の変更を許容するか否かを指定している。
【００２６】
４０３はユーザが携帯型ＰＣ１０３で作成した画像に商標画像を配置した場合の一例である。この例は、商標運用ポリシーの２つの基準と抵触している場合である。まず背景色指定は、背景と商標画像の色見が近く、色差指定を下回っている。そのため、商標画像の背景に対する明示性を損ね、商標画像埋没の恐れがある。また、ユーザは、商標画像権者が許可していない商標画像の縦横比率の変更を行っている。
【００２７】
以上の商標運用ポリシー非準拠により、画像４０３は保存禁止、ユーザへの警告などの対応が行われる。
【００２８】
また、４０４は商標運用ポリシー非準拠を受けて、ユーザが作成し直した画像の一例である。この例では、背景と商標画像の色見に十分な色差が存在し、且つ、商標画像の縦横比率変更を行っていない。即ち、商標画像運用ポリシー準拠の報告を受けて、「合」判定が行われ、この商標画像４０１を使用した画像４０４は保存／運用が許可される。
【００２９】
図５は、図４に示す商標画像４０１における運用ポリシー判定点の一例を示す図である。本発明は、商標画像の運用を制御するものであるが、商標画像のどのポイントを基準に制御するかを規定することで判定基準／動作が明確となる。
【００３０】
図５に示す（Ａ）は、商標画像４０１のチェック用ポイントを商標画像４０１から自動的に取り出す場合の一例である。まず、商標画像４０１が上下左右４方向において、必ず一点が接する長方形５０１を重ね合わせる。次に、この長方形５０１と商標画像４０１とが接するポイントを運用ポリシー判定点として認定し、登録する。この例では、チェック用ポイントは５１１〜５１６に示すポイントである。
【００３１】
尚、認定及び登録処理は、ＰＣ１０１から送られてきた商標画像データ１２１を復号化した後に、ユーザが商標画像を使用して作成した画像を保存又はコピーする前に行うものとする。
【００３２】
図５に示す（Ｂ）は、商標画像４０１のチェック用ポイントを予め任意に設定しておく場合の一例である。上述の（Ａ）と違い、自由にチェック用ポイントを設定可能である。この例では、チェック用ポイントは５２１〜５２３に示すポイントである。
【００３３】
尚、チェック用ポイントの数は、予め登録しておくことが可能であり、全てのポイントを自動的に登録することも可能である。
【００３４】
また、図５に示すように、チェック用ポイントを設定した後は、各ポイントを利用して色差判定や縦横比率判定を行う。
【００３５】
ここで、ポリシー管理サーバ１０２のＣＰＵ２０１によって実行される運用制御プログラム１３１の処理手順を、図６〜図１０を用いて説明する。
【００３６】
図６は、本実施形態による運用制御プログラム１３１の処理手順を示すフローチャートである。まず、ステップＳ６０１において、ＣＰＵ２０１は携帯型ＰＣ１０３でユーザが所望の商標画像を使用して作成した画像の保存又はコピーが要求されるのを待つ。その後、作成した画像の保存又はコピーが要求されると、ステップＳ６０２へ処理を進め、その画像の商標画像が図４に示す運用ポリシー４０２（背景色指定の色差が基準以上）に準拠しているか否かを判定する。尚、この判定処理の詳細は、図７を用いて更に後述する。
【００３７】
次のステップＳ６０３では、ステップＳ６０２での判定結果に基づいて色差が基準以上の場合、即ち、「合」判定の場合にはステップＳ６０４へ処理を進める。しかし、色差が基準に満たない場合、即ち、「否」判定の場合にはステップＳ６０９へ処理を進める。
【００３８】
このステップＳ６０４では、上述の画像に含まれる商標画像が図４に示す運用ポリシー４０２（縦横比率変更）に準拠しているか否かを判定する。尚、この判定処理の詳細は、図８を用いて更に後述する。また、本実施形態では、図４に示すように、「禁止」として規定されているものとする。
【００３９】
次のステップＳ６０５では、ステップＳ６０４での判定結果に基づいて縦横比率が変更されていない場合、即ち、「合」判定の場合にはステップＳ６０６へ処理を進める。しかし、縦横比率が変更された場合、即ち、「否」判定の場合にはステップＳ６０９へ処理を進める。
【００４０】
このステップＳ６０６では、この商標画像を使用した画像の保存又はコピーを許可し、ステップＳ６０７では、この商標画像の使用を運用履歴としてＲＡＭ２０３の運用履歴の格納領域２１４に記録する。そして、ステップＳ６０８では、この商標画像を携帯型ＰＣ１０３のユーザに配布したことを商標画像の配布履歴を格納している配布履歴の格納領域２１３に記録し、この処理を終了する。具体的には、ユーザを特定する情報、携帯型ＰＣ１０３のアドレス、日付などを記録する。
【００４１】
一方、ステップＳ６０９では、ユーザが使用した商標画像が運用ポリシーに準拠していない旨のメッセージを携帯型ＰＣ１０３へ送信し、ユーザへ警告として通知する。次に、ステップＳ６１０では、運用ポリシーに非準拠の商標画像を使用したことを運用非準拠履歴の格納領域２１４に記録する。具体的には、ユーザを特定する情報、携帯型ＰＣ１０３のアドレスなどを記録する。そして、ステップＳ６１１で、保存又はコピーの停止処理を携帯型ＰＣ１０３に指示し、この処理を終了する。
【００４２】
尚、本実施形態では、携帯型ＰＣ１０３に保存又はコピーする場合を例に説明したが、本発明はこれだけに限るものではなく、ポリシー管理サーバ１０２や他のＰＣに保存又はコピーしても良い。
【００４３】
ここで、商標画像の色と背景の色との色差が規定に準拠しているか否かを判定する運用ポリシーにおける背景色指定の規定準拠判定処理（図６に示すＳ６０２）の詳細を、図７を用いて説明する。
【００４４】
図７は、運用ポリシーにおける背景色指定の規定準拠判定処理を示すフローチャートである。まず、ステップＳ７０１で、ＣＰＵ２０１はユーザが作成した画像に含まれる商標画像のレイアウト位置を確認し、図５に示す予め決められたチェックポイントの商標画像の色を取得する。次に、ステップＳ７０２で、ユーザが作成した画像の他のオブジェクトの種類と位置を確認し、図５に示すチェックポイントに接している背景のオブジェクトの色を取得する。
【００４５】
次に、ステップＳ７０３では、ステップＳ７０１及びＳ７０２で取得した色を比較し、色差を求める。ここで、この色差を求める方法は、特に規定せず、何れの方法でも良い。そして、ステップＳ７０４で、色差が予め決められた基準（図５に示す例では、１．２）以上か判断する。ここで、色差が基準以上の場合はステップＳ７０５へ処理を進め、運用ポリシーの背景色指定（色差）の規定準拠判定を「合」判定とし、この処理を終了する。一方、色差が基準を満たしていない場合はステップＳ７０６へ処理を進め、運用ポリシーの背景色指定（色差）の規定準拠判定を「否」判定とし、この処理を終了する。
【００４６】
次に、商標画像の縦横比率の変更を禁止する規定に準拠しているか否かを判定する運用ポリシーにおける縦横比率変更の規定準拠判定処理（図６に示すＳ６０４）の詳細を、図８を用いて説明する。
【００４７】
図８は、運用ポリシーにおける縦横比率変更の規定準拠判定処理を示すフローチャートである。まず、ステップＳ８０１で、ＣＰＵ２０１はユーザが作成した画像に含まれる商標画像のレイアウト位置と角度とを求める。次に、ステップＳ８０２で、図５に示す予め決められたチェックポイントに基づいてこの商標画像の縦横比率をチェックする。具体的には、この商標画像にチェックポイントが定められた商標画像を重ね合わせ、左上端部のチェックポイントを原点として、右下端方向へ拡大／縮小する。そして、全てのチェックポイントが重なるか否かにより、縦横比率をチェックする。
【００４８】
そして、ステップＳ８０３で、縦横比率変更が「禁止」に規定されており、ステップＳ８０２で全てのチェックポイントが一致した場合はステップＳ８０４へ、また一致しない場合はステップＳ８０５へ処理を進める。
【００４９】
このステップＳ８０４では、運用ポリシーの縦横比率変更の規定準拠判定を「合」判定とし、この処理を終了する。一方、ステップＳ８０５では、運用ポリシーの縦横比率変更の規定準拠判定を「否」判定とし、この処理を終了する。
【００５０】
次に、商標画像を使用した画像の保存処理を実行する際に、商標画像を暗号化する処理を、図９を用いて説明する。
【００５１】
図９は、商標画像を暗号化して保存する場合の処理を示すフローチャートである。まず、ステップＳ９０１で、ユーザが商標画像を使用して作成した画像に対して暗号化を行う。この暗号化では、許諾キーを用いて暗号化を行っても良く、他の暗号鍵を用いて暗号化を行っても良い。そして、ステップＳ９０２で、暗号化された画像データをその暗号鍵と共に保存する。
【００５２】
尚、ユーザが暗号化された画像データを編集するには、保存された暗号鍵を用いて暗号化された画像データの復号化を行う必要がある。
【００５３】
［他の実施形態］
次に、図面を参照しながら本発明に係る他の実施形態を詳細に説明する。上述した本実施形態及び変形例では、ポリシー管理サーバ１０２を備え、ポリシー管理サーバ１０２のＣＰＵ２０１が運用制御プログラムを実行していた。しかし、他の実施形態では、携帯型ＰＣ１０３に運用制御プログラムをダウンロードして実行させるものである。
【００５４】
図１０は、他の実施形態における特定画像処理システムの構成の一例を示す図である。尚、上述した本実施形態で説明した図１に示す構成と同じものには同じ符号を付し、その説明は省略する。
【００５５】
図１０に示すように、ＰＣ１０１が管理する商標画像の使用許諾依頼１００１を携帯型ＰＣ１０３から受けると、ＰＣ１０１は許諾応答１１２を送り返す。ここで、本実施形態と同様に、この許諾応答１１２には、その商標画像を暗号化した商標画像データ１２１と運用制御プログラム１３１及び許諾キー（Ｋｅｙ）１３２が含まれる。
【００５６】
そして、携帯型ＰＣ１０３では、許諾応答１１２に含まれる運用制御プログラム１３１をＲＡＭの領域に展開し、携帯型ＰＣ１０３のＣＰＵが展開された運用制御プログラムに従って処理を行う。この処理は、本実施形態で説明したポリシー管理サーバ１０２の処理と同様であり、その説明は省略する。
【００５７】
尚、商標画像の運用制御において、色差及び縦横比率を挙げているが、今後新たな商標保護要件が発生した場合に、その新規要件に対応した商標画像運用ポリシーを取り込み、制御するように構成しても良い。
【００５８】
以上説明した実施形態によれば、商標画像の運用意図（制限）を自動的に保護することが可能となる。また、商標画像の使用方法により発生する背景への埋没、デザインの不正な変更を防止することが可能となる。更に、商標画像単体では、暗号化されているため、不正な２次配布を防止することが可能となる。
【００５９】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００６０】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００６１】
この場合、記録媒体から読出されたプログラムコード自体が前述した実施形態の機能を実現することになり、そのプログラムコードを記憶した記録媒体は本発明を構成することになる。
【００６２】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６３】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【００６４】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００６５】
【図１】本実施形態における特定画像処理システムの構成の一例を示す図である。
【図２】図１に示すポリシー管理サーバ１０２の構成の一例を示すブロック図である。
【図３】本実施形態における運用制御プログラム１３１の概要を説明するための流れ図である。
【図４】本実施形態における運用ポリシーを適用した商標画像の一例を示す図である。
【図５】図４に示す商標画像４０１における運用ポリシー判定点の一例を示す図である。
【図６】本実施形態による運用制御プログラム１３１の処理手順を示すフローチャートである。
【図７】運用ポリシーにおける背景色指定の規定準拠判定処理を示すフローチャートである。
【図８】運用ポリシーにおける縦横比率変更の規定準拠判定処理を示すフローチャートである。
【図９】商標画像を暗号化して保存する場合の処理を示すフローチャートである。
【図１０】他の実施形態における特定画像処理システムの構成の一例を示す図である。
【符号の説明】
【００６６】
１０１  パーソナルコンピュータ（ＰＣ）
１０２  ポリシー管理サーバ
１０３  携帯型ＰＣ
１１１  使用許諾依頼
１１２  許諾応答
１２１  商標画像データ
１３１  運用制御プログラム
１３２  許諾キー（Ｋｅｙ）
２０１  ＣＰＵ
２０２  ＲＯＭ
２０３  ＲＡＭ
２０４  通信制御部
２０５  入力部（キーボード、マウス）
２０６  外部記憶装置
２０７  ディスプレイ装置
２０８  外部通信ポート
２０９  ＣＰＵバス
２１０  作業領域
２１１  許諾キーの格納領域
２１２  運用制御プログラムの展開領域
２１３  配布履歴の格納領域
２１４  運用履歴の格納領域
２１５  運用非準拠履歴の格納領域
【図１】
2008146604.tif 000003
【図２】
2008146604.tif 000004
【図３】
2008146604.tif 000005
【図４】
2008146604.tif 000006
【図５】
2008146604.tif 000007
【図６】
2008146604.tif 000008
【図７】
2008146604.tif 000009
【図８】
2008146604.tif 000010
【図９】
2008146604.tif 000011
【図１０】
2008146604.tif 000012